(57)【要約】      （修正有）【課題】低コストで対象者を見守ることが可能な見守りシステムを提供する。【解決手段】ビーコン装置１は、子供や老人のような見守られる対象である対象者に保持される。ビーコン装置１は、ビーコン信号を定期的に送信する。ビーコン信号には、ビーコン装置１を特定する識別情報であるビーコンＩＤ（Identification）を含む。受信機２は、ビーコン信号を受信する。管理サーバ３は、受信機２がビーコン信号を受信した場合、その受信機２が設置された位置を示す位置情報を所定の宛先に送信する。【選択図】図１
2017208030.tif 000002
【特許請求の範囲】
【請求項１】
ビーコン信号を定期的に送信するビーコン装置と、
前記ビーコン信号を受信する受信機と、
前記受信機がビーコン信号を受信した場合、当該受信機が設置された位置を示す位置情報を所定の宛先に送信するサーバと、を有する見守りシステム。
【請求項２】
前記受信機は、複数あり、各受信機は、それぞれ異なる位置に設置される、請求項１に記載の見守りシステム。
【請求項３】
前記受信機は、自動販売機に内蔵されている請求項１または２に記載の見守りシステム。
【請求項４】
前記ビーコン信号は、前記ビーコン装置を特定する識別情報を含み、
前記サーバは、
前記識別情報と前記宛先を示す宛先情報とを対応付けた情報を記憶する記憶部と、
前記受信機が受信したビーコン信号に含まれる識別情報と対応する宛先情報が示す宛先に対して、前記位置情報を送信する制御部と、を有する請求項１ないし３のいずれか１項に記載の見守りシステム。
【発明の詳細な説明】
【技術分野】
【０００１】
本発明は、子供や老人のような対象者を見守るための見守りシステムに関する。
【背景技術】
【０００２】
近年、子供の連れ去りや老人の徘徊などが社会問題となっており、それに伴い、子供や老人のような対象者を見守るための見守りシステムが注目されている。例えば、特許文献１には、ＧＰＳ（Global Positioning System）機能を用いて所有者の現在地を特定し、その現在地が行動許可範囲外にあると、警告情報を保護者宛に通知する迷子防止用端末が開示されている。
【先行技術文献】
【特許文献】
【０００３】
【特許文献１】特開２００３−１２３１６７号公報
【発明の概要】
【発明が解決しようとする課題】
【０００４】
しかしながら、特許文献１に記載の迷子防止用端末では、端末自体に、ＧＰＳ機能や警告情報を保護者宛に通知する通知機能などを設けなければならないため、端末自体が高額になったり、通信費用が発生したりしていた。このため、特許文献１に記載の迷子防止用端末では、対象者を見守るためのコストが高いという問題がある。
【０００５】
なお、特許文献１に記載の迷子防止用端末は、所有者の現在地が行動許可範囲外になった際に、警告情報を保護者宛に通知するだけであるため、所有者が行動許可範囲外のどの場所にいるかを特定することが難しいという問題もある。
【０００６】
本発明の目的は、低コストで対象者を見守ることが可能な見守りシステムを提供することである。
【課題を解決するための手段】
【０００７】
本発明による見守りシステムは、ビーコン信号を定期的に送信するビーコン装置と、前記ビーコン信号を受信する受信機と、前記受信機がビーコン信号を受信した場合、当該受信機が設置された位置を示す位置情報を所定の宛先に送信するサーバとを有する。
【発明の効果】
【０００８】
本発明によれば、ビーコン信号を受信した受信機が設置された位置を示す位置情報がサーバから所定の宛先へ送信される。このため、対象者がビーコンを送信するビーコン装置を保持していれば、ＧＰＳ機能や警告情報を保護者宛に通知する通知機能を有する端末を使用しなくても、対象者を見守ることが可能になる。したがって、低コストで対象者を見守ることが可能になる。
【図面の簡単な説明】
【０００９】
【図１】本発明の一実施形態の見守りシステムを示すブロック図である。
【図２】受信機の構成例を示すブロック図である。
【図３】管理サーバの構成例を示すブロック図である。
【図４】追跡情報の一例を示す図である。
【図５】本発明の一実施形態の見守りシステムの動作を説明するためのシーケンス図である。
【発明を実施するための形態】
【００１０】
以下、本発明の実施形態について図面を参照して説明する。なお、各図面において同じ機能を有するものには同じ符号を付け、その説明を省略する場合がある。
【００１１】
図１は、本発明の見守りシステムを示すブロック図である。図１に示すように見守りシステムは、ビーコン装置１と、受信機２と、管理サーバ３と、保護者端末４とを有する。
【００１２】
ビーコン装置１は、子供や老人のような見守られる対象である対象者に保持される。ビーコン装置１の形状や大きさは、特に限定されないが、対象者が保持しやすいものが望ましい。例えば、ビーコン装置１は、コイン形状を有する。
【００１３】
ビーコン装置１は、ビーコン信号を定期的に送信する。ビーコン信号には、ビーコン装置１を特定する識別情報であるビーコンＩＤ（Identification）を含む。また、ビーコン信号を送信するための通信方式は特に限定されないが、Ｂｌｕｅｔｏｏｔｈ（登録商標）のような近距離無線通信方式が望ましい。
【００１４】
受信機２は、ビーコン装置１からビーコン信号を受信する装置である。受信機２は、複数あり、それぞれ異なる位置に設置される。具体的には、受信機２は、街中の多くの場所に設置されることが望ましい。その際、受信機２は、単体で使用されてもよいし、他の装置に内蔵されてもよい。受信機２が内蔵される装置としては、自動販売機が望ましい。なお、受信機２は、汎用の通信装置で構成されてもよいが、ビーコン信号を受信する専用の装置であることが望ましい。
【００１５】
図２は、受信機２の構成例を示すブロック図である。図２に示すように受信機２は、受信部２１と、記憶部２２と、送信部２３と、制御部２４とを有する。
【００１６】
受信部２１は、ビーコン装置１と同じ通信方式に対応しており、ビーコン装置１からビーコン信号を受信する。記憶部２２は、受信機２が設置された位置を示す位置情報と、受信機２を特定する識別情報である受信機ＩＤとの少なくとも一方を記憶する。位置情報は、例えば、住所を用いて位置を示してもよいし、経緯度を用いて位置を示してもよい。また、位置情報は、本見守りシステムが独自に定めた形式を用いて位置を示してもよい。送信部２３は、管理サーバ３と通信可能に接続する。例えば、送信部２３は、インターネットなどのネットワーク網（図示せず）を介して管理サーバ３と接続する。
【００１７】
制御部２４は、受信部２１がビーコン信号を受信すると、対象者を検出したことを示す検出信号を、送信部２３を介して管理サーバ３に送信する。検出信号は、受信部２１が受信したビーコン信号に含まれるビーコンＩＤと、記憶部２２に記憶されている受信機ＩＤおよび位置情報の少なくとも一方を含む。また、検出情報は、受信部２１がビーコン信号を受信した受信日時を示す日時情報を含んでもよい。本実施形態では、記憶部２２には受信機ＩＤが記憶され、検出情報には、受信機ＩＤと日時情報とが含まれるものとする。
【００１８】
図１の説明に戻る。管理サーバ３は、受信機２がビーコン信号を受信した場合、そのビーコン信号を受信した受信機２が設置された位置を示す位置情報を所定の宛先に送信するサーバである。
【００１９】
図３は、管理サーバ３の構成例を示すブロック図である。図３に示すように管理サーバ３は、通信部３１と、記憶部３２と、管理部３３とを有する。
【００２０】
通信部３１は、受信機２および保護者端末４と通信可能に接続する。例えば、通信部３１は、インターネットなどネットワーク網を介して受信機２および保護者端末４と接続する。また、通信部３１は、受信機２から検出情報を受信する。
【００２１】
記憶部３２は、本見守りシステムのマスタ情報と、受信機２に関する受信機情報を記憶する。マスタ情報は、具体的には、ビーコンＩＤと、そのビーコンＩＤを含むビーコン信号が受信機２にて受信された際の位置情報の宛先を示す宛先情報とを対応付けた情報である。受信機情報は、受信機ＩＤと、その受信機ＩＤで特定される受信機２が設置された位置を示す位置情報とを対応付けた情報である。
【００２２】
また、記憶部３２は、ビーコンＩＤごとに対象者を追跡した追跡情報を記憶してもよい。追跡情報は、そのビーコンＩＤを含むビーコン信号を受信した受信機２の位置情報と、受信機２がビーコンＩＤを含むビーコン信号を受信した受信日時を示す日時情報とを含む。
【００２３】
図４は、追跡情報の一例を示す図である。図４に示す追跡情報４０は、位置情報４１と、日時情報４２とを含む。位置情報４１は、ビーコン信号を受信した受信機２の位置を示す。日時情報４２は、受信機２がビーコン信号を受信した受信日時を示す。
【００２４】
図３の説明に戻る。管理部３３は、通信部３１が検出情報を受信すると、記憶部３２に記憶されたマスタ情報において検出情報に含まれるビーコンＩＤに対応する宛先情報が示す宛先に、保護者に通知する通知情報を送信する。このとき、管理部３３は、通知情報として、記憶部３２に記憶された受信機情報において検出情報に含まれる受信機ＩＤに対応する位置情報と、検出情報に含まれる日時情報とを含む情報を送信する。
【００２５】
管理部３３が通知情報を送信する方式は、特に限定されないが、本実施形態では、管理部３３は、電子メールを用いて位置情報を送信する。また、宛先情報は、宛先として、対象者の保護者が使用する保護者端末４の電子メールアドレスを示す。
【００２６】
なお、検出情報に受信機ＩＤの代わりに位置情報が含まれる場合、管理部３３は、その検出情報に含まれる位置情報を通知情報に含ませて送信する。また、検出情報に日時情報が含まれない場合、管理部３３は、通信部３１が検出情報を受信したときの日時を受信機２がビーコン信号を受信した受信日時として示す日時情報を生成し、その生成した日時情報を通知情報に含ませて送信する。
【００２７】
また、管理部３３は、上記の位置情報および日時情報を追跡情報として検出情報に含まれるビーコンＩＤと対応付けて記憶部３２に記憶する。
【００２８】
次に動作を説明する。図５は、本実施形態の見守りシステムの動作を説明するためのシーケンス図である。なお、以下の動作では、見守られる対象者がビーコン装置１を保持しているものとする。また、ビーコン装置１と受信機２とは近距離無線通信方式に対応しているものとする。
【００２９】
先ず、ビーコン装置１は、近距離無線通信方式を用いて、定期的にビーコン信号を送信する（ステップＳ１）。ビーコン装置１を保持した対象者が受信機２に近づき、ビーコン装置１が近距離無線通信方式における受信機２の通信エリアに入ると、受信機２の受信部２１は、ビーコン装置１からのビーコン信号を受信し、そのビーコン信号を制御部２４に出力する（ステップＳ２）。
【００３０】
制御部２４は、ビーコン信号を受け付けると、記憶部２２から受信機ＩＤを取得し、その受信機ＩＤと、ビーコン信号内のビーコンＩＤとを含む検出情報を、送信部２３を介して管理サーバ３に送信する（ステップＳ３）。
【００３１】
管理サーバ３の通信部３１は、検出情報を受信し、その検出情報を管理部３３に出力する。管理部３３は、検出情報を受け付けると、その検出情報内の受信機ＩＤに対応する位置情報を記憶部３２から取得する。管理部３３は、取得した位置情報と検出情報内の日時情報とを追跡情報として、検出情報内のビーコンＩＤと対応付けて記憶部３２に記憶する（ステップＳ４）。
【００３２】
そして、管理部３３は、記憶部３２に記憶されたマスタ情報において、検出情報内のビーコンＩＤと対応する宛先情報が示す宛先を確認する。管理部３３は、確認した宛先に、取得した位置情報と検出情報内の日時情報とを含む通知情報を、通信部３１を介して送信する（ステップＳ５）。その宛先に対応する保護者端末４は、通知情報を受信し、その通知情報を記憶および表示し（ステップＳ６）、処理を終了する。
【００３３】
以上説明したように本実施形態によれば、ビーコン装置１は、ビーコン信号を定期的に送信する。受信機２は、ビーコン信号を受信する。管理サーバ３は、受信機２がビーコン信号を受信した場合、その受信機２が設置された位置を示す位置情報を所定の宛先に送信する。このため、ビーコン信号を受信した受信機が設置された位置を示す位置情報がサーバから所定の宛先へ送信されるので、対象者がビーコンを送信するビーコン装置を保持していれば、ＧＰＳ機能や警告情報を保護者宛に通知する通知機能を有する端末を使用しなくても、対象者を見守ることが可能になる。したがって、低コストで対象者を見守ることが可能になる。
【００３４】
また、本実施形態では、受信機２は、複数あり、各受信機２は、それぞれ異なる位置に設置される。このため、対象者が特定の範囲内にいるか否かだけでなく、例えば、各受信機２が様々な場所に設置されることで、対象者がどこにいるかを特定することが可能になる。
【００３５】
また、本実施形態では、受信機２は自動販売機に内蔵される。このため、受信機２のために特別な設置場所を設ける必要がない。また、自動販売機用の電源から電力を得ることができるため、受信機２のためだけに電気配線などを敷設する必要がない。このため、受信機２を設置するためのコストを低くすることができるため、より低コストで対象者を見守ることが可能になる。また、自動販売機は街中に多く設置されているため、受信機２を多くの場所に設置することが可能になり、対象者がどこにいるかをより確実に特定することが可能になる。また、自動販売機に内蔵された受信機２と管理サーバ３との間の通信において通信費用が発生した場合でも、その通信費用を自動販売機の売上から賄うことが可能になる。したがって、より低コストで対象者を見守ることが可能になる。
【００３６】
また、本実施形態では、ビーコン信号はビーコン装置１を特定するビーコンＩＤを含むため、同じ受信機２を用いて、複数のビーコン装置１を識別することができる。このため、同じ受信機２を用いて、複数の対象者を見守ることができるため、より低コストで対象者を見守ることが可能になる。
【００３７】
以上説明した実施形態において、図示した構成は単なる一例であって、本発明はその構成に限定されるものではない。
【符号の説明】
【００３８】
１    ビーコン装置
２    受信機
３    管理サーバ
４    保護者端末
２１  受信部
２２  記憶部
２３  送信部
２４  制御部
３１  通信部
３２  記憶部
３３  管理部
【図１】
2017208030.tif 000003
【図２】
2017208030.tif 000004
【図３】
2017208030.tif 000005
【図４】
2017208030.tif 000006
【図５】
2017208030.tif 000007